(57)【要約】【課題】  携帯時にメモリーカード及びリングホルダ脱落せず、リングホルダ及びメモリーカードの取り出し或は装着が容易で、携帯性が向上したモリーカード収納装置を得る。【解決手段】  メモリーカード収納ケース１２にリングホルダ５６のリング５９を装着可能な係止溝１７及びメモリーカード１を挿入保持する保持部５２を設け、枠部材１１のスライド或は、回動に応じて係止溝１７及びメモリーカード１のカード挿入口５７が開口させて、リングホルダ５６及びメモリーカード１の取り出し或は装着が容易で携帯性が向上したメモリーカード収納装置を提供する。【選択図】      図２
2007058324.tif 000002
【特許請求の範囲】
【請求項１】
リングホルダが係止可能で、メモリーカードを収納出来るメモリーカード収納装置に於いて、
前記メモリーカードを収納するメモリーカード収納ケースと、
前記メモリーカード収納ケースに対し、摺動可能に成された枠部材と、
を具備し、
前記メモリーカード収納ケースには前記枠部材と対抗する位置に前記リングホルダのリングを装着可能な係止溝を設けると共にメモリーカード挿入口側の一部を前記枠部材の摺動によって塞ぐことで該メモリーカード脱落防止用のストッパと成すことを特徴とするメモリーカード収納装置。
【請求項２】
前記枠部材を前記メモリーカード収納ケースに対し一方向に摺動させたときに第１の段階で前記リングホルダの前記係止溝が開かれ、第２の段階で前記メモリーカード挿入口側が開口するように構成したことを特徴とする請求項１記載のメモリーカード収納装置。
【請求項３】
前記メモリーカード収納装置の前記メモリーカード収納ケースには複数個の前記メモリーカードを収納するように成したことを特徴とする請求項１又は請求項２記載のメモリーカード収納装置。
【請求項４】
リングホルダが係止可能で、メモリーカードを収納出来るメモリーカード収納装置に於いて、
前記メモリーカードを収納するメモリーカード収納ケースと、
前記メモリーカード収納ケースに対し、回動可能に成された枠部材と、
を具備し、
前記メモリーカード収納ケースには前記枠部材と対抗する位置に前記リングホルダのリングを装着可能な係止溝を設けると共にメモリーカード挿入口側の一部を前記枠部材の回動によって塞ぐことで該メモリーカード脱落防止用のストッパと成すことを特徴とするメモリーカード収納装置。
【請求項５】
前記枠部材を前記メモリーカード収納ケースに対し一方向に回動させたときに第１の段階で前記リングホルダの前記係止溝が開かれ、第２の段階で前記メモリーカード挿入口側が開口するように構成したことを特徴とする請求項４記載のメモリーカード収納装置。
【請求項６】
前記メモリーカード収納装置の前記メモリーカード収納ケースには複数個の前記メモリーカードを収納するように成したことを特徴とする請求項４又は請求項５記載のメモリーカード収納装置。
【発明の詳細な説明】
【技術分野】
【０００１】
本発明はメモリーカード収納装置に係わり、特に、リングホルダ及びメモリーカードがワンタッチで保持可能なメモリーカード収納装置に関する。
【背景技術】
【０００２】
近年、デジタルカメラやパーソナルコンピュータ、更には、携帯用電話機やデジタルオーディオ機器等の電子機器に用いるＩＣ記録媒体としてメモリーカードが広く普及している。このメモリーカードは、メモリースティック等と称される大容量の半導体記憶媒体やＩＣ記録媒体であり、全体として長方形や正方形の薄い板状に形成されたカード本体の中に数ＭＢ〜数十ＭＢの記録容量の半導体記憶媒体が内蔵されている。
【０００３】
このメモリーカードのカード本体の先端には端子部が設けられており、メモリーカードを電子機器のスロットに差し込んだ状態では、端子部が電子機器側の端子と接続し、半導体記憶媒体へデータの書き込み又は読み出しが行なわれるが、このメモリーカードをデジタルカメラや携帯型デジタルオーディオ機器と一緒に持ち運ぶ際に、このメモリーカードは全体的に小さく薄いため（実寸で幅２１．５ｍｍ、長さ５０ｍｍ、厚さ２．８ｍｍ）紛失し易い問題がある。このため、メモリーカードを持ち運ぶときに、このメモリーカードを保持しておくめのメモリーカードホルダが求められている。
【０００４】
上記した様な、メモリーカードを紛失する恐れがなく、持ち運びに便利なメモリーカードホルダとして、メモリーカードの上下面の大部分が露出した状態で収納保持させて、上下面に貼り付けられたラベルを確認することが出来、又、このメモリーカードの取り出しが容易で、更に、メモリーカードを保持した状態でその端子部を保護部が覆うことで、端子部を塵や埃等から確実に保護することができる様にしたメモリーカードホルダが特許文献１に開示されている。
【０００５】
上述の特許文献１に開示のメモリーカードホルダ５１は、図６に示す様に構成されている。図６に於いて、図６はメモリーカード１を保持する前の状態であり、メモリーカードホルダ５１は硬質の樹脂材によりなる板状の成形品であり、このメモリーカードホルダ５１の保持部５２にメモリーカード１をその先端の端子部３側から差し込んで保持する。
【０００６】
メモリーカードホルダ５１の保持部５２は凹状に切り欠かれた形をなし、メモリーカード１はその上下面の大部分を露出させた状態で凹状の保持部５２に収納保持される。保持部５２内の対向する内側面には保持溝５３ａ，５３ｂが形成されており、メモリーカード１はこの保持溝５３ａ，５３ｂに両側縁部が係合する状態で保持部５２に保持される構造となっている。又、このメモリーカードホルダ５１の保持部５２の奥には下面側に保護板部５４が設けられており、保持部５２にメモリーカード１を保持した状態ではこの保護板部５４によってメモリーカード１の先端の端子部３が覆われて保護されるようになっている。
【０００７】
更に、保持部５２内には、メモリーカード１の位置決め凹部４、５と対応する係合凸部（４と係合する係合凸部は図示されていない）５５が設けられており、保持部５２にメモリーカード１を保持した状態ではこの係合凸部５５が位置決め凹部４、５と係合することによりメモリーカード１は保持部５２内で固定状態に保持され、脱落が防止される。又、メモリーカードホルダ５１のカード挿入口５７の近傍には透孔５８が穿たれ、リングホルダ５６のリング５９が挿通されている。尚、６はラベルであり、メモリーカード１の反対側には図示しない誤消去防止用のスイッチ等が設けられている。
【０００８】
上述のメモリーカードホルダ５１の構成によると、このメモリーカードホルダ５１の保持溝５３ａ、５３ｂ内に挿入された、メモリーカード１をメモリーカードホルダ５１内に保持するものは係合凸部５５に嵌まり込むメモリーカード１の係合部４、５だけであり、携帯時にカード挿入口５７を下にした時にメモリーカード１がメモリーカードホルダ５１から落脱する問題を有していた。
【０００９】
又、メモリーカードホルダ５１に穿った透孔５８内にリングホルダ５６のリング５９を挿入装着するのに多くの手間を要する問題を有していた。
【特許文献１】特開２００１−２２２６９５号公報
【発明の開示】
【発明が解決しようとする課題】
【００１０】
本発明は上述の課題を解決するために成されたもので、本発明の目的は、メモリーカード収納ケースに対し摺動或いは回動可能に構成した枠部材を開閉させることでリングホールの装脱が容易で、メモリーカード収納ケースに装着したメモリーカードを脱落防止可能としたメモリーカード収納装置を提供しようとするもので枠部材をスライドするか、或は枠部材を引き伸ばすことで、リングホール及びメモリーカードの脱落防止バーが解除されて、ストラップを構成するリングホルダ５６からのリング５９の取り外しや挿入並びにメモリーカードの挿入、取り出しが容易なメモリーカード収納装置を得ようとするものである。
【課題を解決するための手段】
【００１１】
第１の本発明のメモリーカード収納装置はリングホルダが係止可能で、メモリーカードを収納出来るメモリーカード収納装置に於いて、メモリーカードを収納するメモリーカード収納ケースと、メモリーカード収納ケースに対し、摺動可能に成された枠部材と、を具備し、メモリーカード収納ケースには枠部材と対抗する位置にリングホルダのリングを装着可能な係止溝を設けると共にメモリーカード挿入口側の一部を枠部材の摺動によって塞ぐことでメモリーカード脱落防止用のストッパと成したものである。
【００１２】
第２の本発明のメモリーカード収納装置はリングホルダが係止可能で、メモリーカードを収納出来るメモリーカード収納装置に於いて、メモリーカードを収納するメモリーカード収納ケースと、メモリーカード収納ケースに対し、回動可能に成された枠部材と、を具備し、メモリーカード収納ケースには枠部材と対抗する位置にリングホルダのリングを装着可能な係止溝を設けると共にメモリーカード挿入口側の一部を枠部材の回動によって塞ぐことでメモリーカード脱落防止用のストッパと成したものである。
【発明の効果】
【００１３】
本発明のメモリーカード収納装置によれば、枠部材にメモリーカード脱落防止用のストッパを設けたので携帯時に脱落しないメモリーカード収納装置を得ることが出来る。
【００１４】
本発明のメモリーカード収納装置によれば、メモリーカード収納ケースにリングホルダのリングを装着可能な係止溝を設け、枠部材のスライド或は、回動に応じて係止溝が開かれるため、ガイドリングホルダの取り出し或は装着が容易なメモリーカード収納装置を得ることが出来る。
【発明を実施するための最良の形態】
【００１５】
以下、本発明の１形態例を図１乃至図５によって説明する。図１は本発明の本発明のメモリーカード収納装置の１形態例を示す枠部材とメモリーカード収納ケースの正面、底面、左側面図及びメモリーカードの平面図、図２は本発明のメモリーカード収納装置の１形態例を示すリングホルダ及びメモリーカードの挿入方法を説明するための正面図、図３は本発明のメモリーカード収納装置の他の形態例を示すリングホルダ及びメモリーカードの挿入方法を説明するための正面、底面、左側面図、図４は本発明のメモリーカード収納装置の他の形態例を示すリングホルダ及びメモリーカードの挿入方法を説明するための正面図、図５は本発明のメモリーカード収納装置の更に他の形態例を示すリングホルダ及びメモリーカードの挿入方法を説明するための側面図である。
【００１６】
以下、本発明の１形態例のメモリーカード収納装置を図１及び図２によって説明する。図１は本発明のスライド方式のメモリーカード収納装置を示すもので、図１（Ａ）（Ｂ）（Ｃ）は本発明のメモリーカード収納装置１０に用いる枠部材１１の正面図、左側面図、底面図を、同様に図１（Ｄ）（Ｅ）（Ｆ）は本発明のメモリーカード収納装置１０に用いるメモリー収納ケース１２の正面図、左側面図、底面図を示し、図１（Ｇ）はメモリーカード１の平面図である。尚メモリーカード１は従来例で説明したと同様の構成であり対応部分には同一符号を付して重複説明を省略する。これら枠部材１１及びメモリーカード収納ケース１２は例えばＰＳ（ポリスチレン）、ＡＢＳ（アクリロニトリル・ブタジエン・スチレン）、ＰＣ（ポリカーボネート）等の硬質で耐久性の高い熱硬化性或は熱可塑性樹脂材によりなる成形品或は角柱状又は板状のアルミニユムや鋼材等の板金加工品で構成されている。
【００１７】
図１（Ａ）〜（Ｃ）に於いて、枠部材１１は角柱状の成型部材を略Ｕ字状に形成し底部枠１１ａと、板状の側面枠１１ｂで構成されている。底部枠１１ａの左立上部１１ｃは図１（Ａ）に示す様に底部枠１１ａより幅広の側面枠１１ｂと接合させて一体化されている。勿論これらは一体に成型することも出来る。この左立上部１１ｃの上部右面には後述するメモリーカード収納ケース１２の下枠１２ｄと係合してスライドのストッパとして機能する係止片１３が設けられている。又、左右立上部１１ｃ、１１ｄの前後面の中間位置には同じくメモリーカード収納ケース１２の前後側壁の内面に設けた係合孔２１，２２に嵌合する嵌合凸部１４、１５が形成されている。
【００１８】
側面枠１１ｂは板状部材を略正方形状となし、図１（Ａ）（Ｂ）の様に上部にメモリーカード収納ケース１２に形成した係合溝と嵌合する係合突片１６が側面枠１１ｂの幅方向と厚みの方向の略半分の位置に立設されている。
【００１９】
次に、図１（Ｄ）〜（Ｆ）により、メモリーカード収納ケース１２を説明する。図１（Ｄ）〜（Ｆ）に於いて、メモリーカード収納ケース１２の前後側面板１２ａ、１２ｂは略長方形状の板材からなり、図１（Ｄ）に破線で示す様に前後側面板１２ａ、１２ｂ間には上下枠１２ｃ、１２ｄを介在させ、図１（Ｇ）に示すメモリーカード１を挿入して、メモリーカード１を保持可能な保持部５２が構成されている。この保持部５２の構成は図６で説明したと同様構成をとることが可能であるので図６と同一符号を付して詳細説明は省略する。
【００２０】
前後側板１２ａ、１２ｂの上部の左側部には図１（Ｄ）（Ｅ）に示す様に、リングホルダ５６のリング５９が挿入可能なリング挿入切溝１７を形成する。このリング挿入切溝１７の上部にはリング５９脱落防止用の爪１７ａが設けられると共に保持部５２に挿入したメモリーカード１を抜き出すための指掛溝１８が形成されている。下枠１２ｄは図１（Ｄ）〜（Ｆ）に示す様に前後側面板１２ａ、１２ｂの最下端位置より上部に配され、枠部材１１が装着可能なスペース１９を有する。又、上枠１２ｃの左側端には枠部材１１の係合突片１６と嵌合する係合溝２０を設ける。更に、前後側面板１２ａ、１２ｂの内面側には枠部材１１に形成した嵌合凸部１３、１４と嵌合する係合孔２１、２２が形成されている。  図１（Ｇ）のメモリーカード１には図６と同様の符号を付して示す。
【００２１】
次に、上述の構成の図１（Ａ）〜（Ｇ）で説明した枠部材１１をメモリーカード収納ケース１２内に摺動自在に嵌込んだメモリーカード収納装置１０にメモリーカード１やストラップ等のリングホルダ５６を簡単に挿入する方法を図２（Ａ）乃至図２（Ｄ）によって説明する。
【００２２】
図２（Ａ）は図１で説明した、メモリーカード収納ケース１２内に枠部材１１を下側から嵌込み係合させ枠部材１１の係合突片１６と嵌合凸部１４、１５をメモリーカード収納ケース１２内の係合溝２０と係合孔２１，２２内に嵌合わせ固定させた状態を示し、リング挿入切溝１７内にはリングホルダ５６のリング５９が挿入されておらず、係合部５２にもメモリーカード１が挿入されていない状態を示している。この状態で、矢印Ａ方向に枠部材１１をスライドさせると枠部材１１の左立上部１１ｃの係止片１３はメモリーカード収納ケース１２内の下枠１２ｄの上面に当接して、これ以上Ａ方向にスライド出来なくなる。
【００２３】
上述の図２（Ｂ）に示す状態ではリング挿入切溝１７及び保持部５２のメモリーカード挿入口５７は開口状態と成されるのでリングホルダ５６のリング５９をリング挿入切溝１７に挿入すると共に、保持部５２内にメモリーカード１を挿入させる。完全に保持部５２内にメモリーカード１が挿入された状態から図２（Ｃ）に示す様に枠部材１１を矢印Ｂ方向にスライドさせてメモリーカード収納ケース１２内に枠部材１１に係合させることで、枠部材１１の係合突片１６及び嵌合凸部１４、１５がメモリーカード収納ケース１２内の係合溝２０及び係合孔２１，２２内に嵌合わされ、図２（Ｄ）の様に固定させることでリングホルダ５６とメモリーカード１は枠部材１１の側面枠１１ｂと右立上部１１ｄによって完全に閉じられた状態となり、携帯時には脱落が防止可能となる。従って本発明のスライド型のメモリーカード収納装置１０によればリングホルダ５６の挿入や取り外し、及びメモリーカード１の挿入、取り出しが極めて簡単となる。
【００２４】
次に、図３及び図４を用いて本発明の他の構成のメモリーカード収納装置を説明する。図３（Ａ）〜（Ｃ）に於いて、以下、図１（Ａ）〜（Ｇ）及び図２（Ａ）〜（Ｄ）に記載の対応部分には同一符号を付して説明する。図３及び図４に示すメモリーカード収納装置１０は一本の角柱状の成型部材を略Ｕ字状に折り曲げ可能に成した底部枠１１ａと、板状の側面枠１１ｂで構成されている。底部枠１１ａの左立上部１１ｃは図３（Ａ）に示す様に底部枠１１ａより幅広の側面枠１１ｂと接合させて一体化されている。この左立上部１１ｃの上部側面には後述するメモリーカード収納ケース１２の前後側面板１２ａ、１２ｂに穿たれた座ぐり孔２５に嵌合する突出軸２４が設けられている。
【００２５】
側面枠１１ｂは板状部材を略長方形状となし、図３（Ａ）（Ｂ）の様に左立上部１１Ｃと一体化されている。勿論これらは一体に成型することも出来る。左立上部１１Ｃの略中間位置にはリング挿入切溝１７となる切欠２６が形成されている。枠部材１１の底部枠１１ａ及び右立上部１１ｄに後述するメモリーカード収納ケース１２に形成した嵌合凸部１３、１４と嵌合する係合孔２１、２２が形成され、右立上部１１ｄの右側面には枠部材１１の座ぐり孔２５に嵌合させて回動自在とした枢軸２６やヒンジ２７、２８を中心に時計ＣＷ又は反時計方向ＣＣＷに回動可能にする為のノブ１１ｅが形成されている。
【００２６】
次に、図３（Ｄ）〜（Ｆ）により、メモリーカード収納ケース１２を説明する。図３に於いて、メモリーカード収納ケース１２の前後側面板１２ａ、１２ｂは略長方形状の板材からなり、図３（Ｄ）に破線で示す様に前後側面板１２ａ、１２ｂ間には上下枠１２ｃ、１２ｄを介在させ、図１（Ｇ）に示すメモリーカード１を挿入して、メモリーカード１を保持可能な保持部５２が構成されている。この保持部５２の構成は図６で説明したと同様構成をとることが可能であるので図６と同一符号を付して詳細説明は省略する。
【００２７】
前後側板１２ａ、１２ｂの左側端中間部に図３（Ｄ）〜（Ｆ）に示す様に、リングホルダ５６のリング５９が挿入可能なリング挿入切溝１７を形成すると共に保持部５２に挿入したメモリーカード１を抜き出すための指掛溝１８が形成されている。下枠１２ｄは図３（Ｄ）〜（Ｆ）に示す様に前後側面板１２ａ、１２ｂの最下端位置より上部に配され、枠部材１１が装着可能なスペース１９を有する。
又、前後側面板１２ａ、１２ｂの内面側には枠部材１１に形成した嵌合凸部１３、１４と嵌合する係合孔２１、２２が形成されている。
【００２８】
次に、上述の図３（Ａ）〜（Ｆ）で説明した構成の枠部材１１をメモリーカード収納ケース１２内に回動動自在に嵌込んだメモリーカード収納装置１０にメモリーカード１やストラップ等のリングホルダ５６を簡単に挿入する方法を図４（Ａ）乃至図４（Ｃ）によって説明する。
【００２９】
図４（Ａ）は図３で説明した、メモリーカード収納ケース１２の座ぐり孔２５内に枠部材１１の突出軸２４を嵌込み係合させ枠部材１１の嵌合凸部１４，１５をメモリーカード収納ケース１２内の係合孔２１，２２内に嵌合わせ固定させた状態を示している。リング挿入切溝１７内にはリングホルダ５６のリング５９が挿入されておらず、係合部５２にメモリーカード１が挿入されていない状態を示している。この状態で、図４（Ａ）に示す様にノブ１１ｅをヒンジ２７を中心に矢印ＣＷの時計方向に回動させると枠部材１１の右立上部１１ｄは図４（Ｃ）に示す様にヒンジ２７、２８を構成しているため、ヒンジ２７を境に右立上部１１ｄは図４（Ｂ）に示す様に底部枠１１ａと略水平と成る。この状態で、保持部５２のメモリーカード挿入口５７は全開状態となるので、メモリーカード１を保持部５２内に挿入可能となる。
【００３０】
更に、枢軸２６を中心に図４（Ｃ）に示す様に枠部材１１を時計方向ＣＷに回動させれば、枠部材１１は略一本の直線状の棒状となり、リング挿入切溝１７は全開状態となる、従って、リングホルダ５６のリング５９を棒状の枠部材１１に通すことでリング５９をリング挿入切溝１７内に保持可能となる。
完全に保持部５２内にメモリーカード１及びリング挿入切溝１７内にリングホルダ５６のリング５９が挿入された状態から図４（Ｃ）に示す様に枠部材１１は枢軸２６を中心に反時計ＣＣＷ方向に回動させてメモリーカード収納ケース１２内に枠部材１１を係合させ、枠部材１１の嵌合凸部１４、１５をメモリーカード収納ケース１２内の係合孔２１，２２内に嵌合わせ、図４（Ａ）の様に固定させることでリングホルダ５６とメモリーカード１は枠部材１１の側面枠１１ｂと右立上部１１ｄよって完全に閉じられた状態となり、携帯時には脱落が防止可能となる。従って本発明の回動型のメモリーカード収納装置１０によってもリングホルダ５６の挿入や取り外し、及びメモリーカード１の挿入、取り出しが極めて簡単となる。
【００３１】
図５は本発明の更に他の構成を示すリングホルダ５６及びメモリーカード１の挿入方法を説明するためのメモリーカード挿入口５７方向から視た側面図である。この例のメモリーカード収納装置１０にそのケースの厚み方向に複数の保持部５２ａ、５２ｂ・・・を設けたものである。即ちこのメモリーカード収納ケース１２には２箇所の保持部５２ａ、５２ｂが設けられており、夫々の保持部５２ａ、５２ｂに１枚ずつ、計２枚のメモリーカード１をカード挿入口５７ａ、５７ｂから挿入することで保持できるようになっている。勿論２個以上の保持部を設けても良くメモリーカード収納ケース１０の奥行き方向に第１のメモリーカード挿入口５７ａと並設するように第２のメモリーカード挿入口５７ｂを構成しても良い。
【００３２】
上述の構成のメモリーカード収納装置１０によれば一度に多くのメモリーカード１を保持できるので、メモリーカードの持ち運びが一段と便利なものとなる。
【００３３】
本発明のメモリーカード収納装置１０によれば、枠部材１１にメモリーカード脱落防止用のストッパ（右立上部１１ｄ）を設けたので携帯時にメモリーカード１が脱落しないメモリーカード収納装置１０を得ることが出来る効果を有する。
【００３４】
本発明のメモリーカード収納装置１０によれば、メモリーカード収納ケース１２にリングホルダ５６のリング５９を装着可能なリング挿入切溝１７を設け、枠部材１１のスライド或は、回動に応じてリング挿入切溝１７が開かれるため、ガイドリングホルダ５６及びメモリーカード１の取り出し或は装着が容易で、携帯性が向上し、スタイリッシュに携帯できるモリーカード収納装置１０を得ることが出来る効果を有する。
【図面の簡単な説明】
【００３５】
【図１】本発明のメモリーカード収納装置の１形態例を示す枠部材とメモリーカード収納ケースの正面、底面左側面図及びメモリーカードの平面図である。
【図２】本発明のメモリーカード収納装置の１形態例を示すリングホルダ及びメモリーカードの挿入方法を説明するための正面図である。
【図３】本発明のメモリーカード収納装置の他の形態例を示すリングホルダ及びメモリーカードの挿入方法を説明するための正面図である。
【図４】本発明のメモリーカード収納装置の他の形態例を示す枠部材及びメモリーカード収納ケース正面、底面、左側面図である。
【図５】本発明のメモリーカード収納装置の更に他の形態例を示すリングホルダ及びメモリーカードの挿入方法を説明するための側面図である。
【図６】従来のメモリーカードホルダの斜視図である。
【符号の説明】
【００３６】
１・・・メモリーカード、３・・・端子部、６・・・ラベル、１０・・・メモリーカード収納装置、１１・・・枠部材、１１ａ・・・底部枠、１１ｂ・・・側面枠、１１ｃ、１１ｄ・・・左右立上部、１１ｅ・・・ノブ、１２・・・メモリーカード収納ケース、１２ａ、１２ｂ・・・前後側面板、１３・・・係止片、１４、１５・・・嵌合凸部、１６・・・係合突片、１７・・・リング挿入切溝、１８・・・指掛溝、２０・・・係合溝、２１、２２・・・係合孔、２４・・・突出軸、２５・・・座ぐり孔、２６・・・切欠、５１・・・メモリーカードホルダ、５２、５２ａ、５２ｂ・・・保持部、５３ａ、５３ｂ・・・保持溝、５７、５７ａ、５７ｂ・・・メモリーカード挿入口
【図１】
2007058324.tif 000003
【図２】
2007058324.tif 000004
【図３】
2007058324.tif 000005
【図４】
2007058324.tif 000006
【図５】
2007058324.tif 000007
【図６】
2007058324.tif 000008